(57)【特許請求の範囲】
【請求項１】
絶縁筒の先端に取り付けられ、検電対象物に引掛け係止されることによりその検電対象物と電気的に接触する検電金具と、前記絶縁筒の一部に設けられて検電金具と電気的に接続され、その検電金具を介して検電対象物の充電電圧を検出してその検電情報を報知する検出部と、その検出部を介して前記検電金具をアース接続するための接地線とを具備した直流用検電器において、
一端が前記検出部の制御電源に接続され、かつ、他端が前記接地線のアース導体への接続によりその接地線と電気的な短絡状態になる検出線を備え、その検出線により前記接地線の断線を検出可能とし、前記接地線が接続された第一の端子金具と前記検出線が接続された第二の端子金具とを絶縁材を介して配設した接地端子により、前記第一の端子金具と前記第二の端子金具とをアース導体に電気的に接続可能としたことを特徴とする直流用検電器。
【請求項２】
前記検出線と制御電源との間に、接地線の断線を報知する表示手段を介挿したことを特徴とする請求項１に記載の直流用検電器。
【請求項３】
前記絶縁筒は、手動で長さ調整可能な複数本からなることを特徴とする請求項１又は２に記載の直流用検電器。
【請求項４】
前記絶縁筒は、径の異なる複数本の絶縁筒を伸縮可能に連結した延竿式の絶縁筒群からなることを特徴とする請求項３に記載の直流用検電器。
【発明の詳細な説明】
【０００１】
【発明の属する技術分野】
本発明は直流用検電器に関し、例えば電鉄沿線の架線電圧の有無を管理するために使用される携帯式の直流用検電器に関する。
【０００２】
【従来の技術】
電鉄沿線の架線には、例えば１５００Ｖ程度の直流電圧が変電所から送電されているが、保守管理上、任意的或いは定期的に架線電圧の有無を任意の地点で検出する必要がある。この架線電圧の有無を検出する検電作業は、通常、架線が高所にあるところから手動で長さ調整できるようにした以下のような直流用検電器が使用されている。
【０００３】
この直流用検電器は、複数本の絶縁筒を軸方向に伸縮可能に連結した延竿式のもの、または、複数本の絶縁筒を軸方向に継ぎ足すことで任意の長さにするようにした継竿式のものが知られている。これら延竿式または継竿式の検電器は、絶縁筒の先端部にフック状の検電金具を有し、その検電金具に検出抵抗を介して接地線が接続され、前記検出抵抗の端子電圧を測定することにより架線電圧の有無を検出する検出部を具備している。
【０００４】
架線電圧の検電時には、作業員は、延竿式または継竿式の検電器を所望の長さにした状態で、検電器から導出された接地線をアース接続した上で、最後端の絶縁筒を手で持って最先端の絶縁筒を高所の架線の高さまで上げ、その絶縁筒の先端部にある検電金具を架線に引掛け係止させる。
【０００５】
これにより、架線に引掛けられた検電金具を検出抵抗を介してアースし、その検出抵抗の端子電圧を検出部で測定することで、架線電圧の有無を検出することができ、架線が充電状態にあれば、検出部に付設した表示ランプまたはブザー等により作業員に報知するようにしている。
【０００６】
【発明が解決しようとする課題】
ところで、前述した検電器による架線電圧の検電時には、絶縁筒の先端部にあるフック状の検電金具を架線に確実に引掛け係止すると共に、検電器から導出された接地線を確実にアース接続する必要がある。このように架線に引掛けられた検電金具を検出抵抗を介して確実にアースすることで、その検出抵抗の端子電圧を検出部で測定することができる。
【０００７】
一方では、検電器の取り扱い等が起因して接地線が断線することがある。この接地線が検電器内部で断線している場合だけでなく、接地線が絶縁被覆電線であることから接地線が検電器外部で断線している場合も、作業員がその接地線の断線に気づくことは困難である。このように接地線が断線していることに気づかず、検電作業を実行すると、架線が充電中であるにもかかわらず、表示ランプまたはブザー等による報知がないことから、作業員は架線が停電状態にあると誤判断し、その充電状態にある架線に触れる危険性があった。
【０００８】
そこで、本発明は前記問題点に鑑みて提案されたもので、その目的とするところは、接地線の断線を簡単かつ確実に検出し得る機能を持った直流用検電器を提供することにある。
【０００９】
【課題を解決するための手段】
前記目的を達成するための技術的手段として、本発明は、絶縁筒の先端に取り付けられ、検電対象物に引掛け係止されることによりその検電対象物と電気的に接触する検電金具と、前記絶縁筒の一部に設けられて検電金具と電気的に接続され、その検電金具を介して検電対象物の充電電圧を検出してその検電情報を報知する検出部と、その検出部を介して前記検電金具をアース接続するための接地線とを具備した直流用検電器において、一端が前記検出部の制御電源に接続され、かつ、他端が前記接地線のアース導体への接続によりその接地線と電気的な短絡状態になる検出線を備え、その検出線により前記接地線の断線を検出可能とし、前記接地線が接続された第一の端子金具と前記検出線が接続された第二の端子金具とを絶縁材を介して配設した接地端子により、前記第一の端子金具と前記第二の端子金具とをアース導体に電気的に接続可能としたことを特徴とする。
【００１０】
本発明では、接地線の使用時、接地線が断線していなければ、その接地線のアース導体への接続により検出線が接地線と電気的な短絡状態となって制御電源を有する閉ループ回路が形成されることから、接地線が良好であると判定することができる。一方、接地線が断線していると、接地線のアース導体への接続により検出線が接地線と電気的な短絡状態となっても、制御電源を有する閉ループ回路が形成されないので、接地線が不良であると判定することができる。
【００１１】
この接地線が断線しているか否かの判定を報知する手段としては、前記検出線と制御電源との間に、接地線の断線を報知する表示手段を介挿することにより実現される。また、接地線のアース導体への接続によりその接地線と電気的な短絡状態にするための手段としては、前記接地線の先端に設けられた接地端子を、接地線が接続された第一の端子金具と、検出線が接続された第二の端子金具とを絶縁材を介して配設し、マグネットの磁気吸着により前記第一の端子金具と第二の端子金具とをアース導体に電気的に接続する構造とすることにより実現される。
【００１２】
ここで、検電器は、手動で長さ調整可能な複数本の絶縁筒、例えば複数本の絶縁筒を伸縮可能に連結した延竿式のもの、或いは、複数本の絶縁筒を軸方向に継ぎ足して連結する継竿式のものであり、特に、高所の架線電圧を検出する検電作業においては、操作性や携帯性の面で、径の異なる複数本の絶縁筒を伸縮可能に連結した延竿式のものが好適である。
【００１３】
【発明の実施の形態】
本発明に係る直流用検電器の実施形態を以下に詳述する。以下の実施形態では、検電対象物を例えば電鉄沿線の架線とし、その架線電圧の有無を検出する場合について説明する。なお、本発明はこの実施形態に限定されることなく、電鉄沿線の架線以外の他の検電対象物についても適用可能である。
【００１４】
図２（Ａ）（Ｂ）に示す直流用検電器の絶縁筒群１０は、架線電圧検出前の保管時の状態が示される。この絶縁筒群１０は、図３（Ａ）に示すように径の異なる複数本の繊維強化プラスチック（ＦＲＰ）製絶縁筒１１1〜１１nを手動で軸方向に伸縮可能に連結した延竿式のもので、最小径の最先端絶縁筒１１1の先端部にフック状の検電金具２０が設けられ、最大径の最後端絶縁筒１１nの先端部外周に検出部３０が取り付けられ、図３（Ｂ）に示すように各絶縁筒１１1〜１１n内に、検電金具２０と検出部３０を電気的に接続する軸方向伸縮可能な導電部材、例えば延竿式の導電筒群５０が配置される。この導電筒群５０は、径の異なる複数本の導電筒５１1〜５１nを伸縮可能に連結した延竿式のもので、各導電筒５１1〜５１nはステンレスパイプ、カーボンパイプ等の円筒状の良導電性パイプからなり、各々が電気的かつ機械的に連結されて一本の導電管となっている。
【００１５】
絶縁筒群１０の先端の検電金具２０は、図３（Ａ）（Ｂ）の鎖線に示すように高所に位置する架線１に引掛けられるもので、その形状はフック状に限らない。この検電金具２０が固設される最先端絶縁筒１１1の先端部は、例えば図４に示す構造を有する。最先端絶縁筒１１1の先端部内外にジョイント金具２１と先端カバー２２が固設され、ジョイント金具２１に検電金具２０の基端部が螺着される。最先端絶縁筒１１1の先端部内には、限流抵抗Ｒ1とリード線２４とアンテナ取付金具２５が直列接続されて固定され、限流抵抗Ｒ1とアンテナ取付金具２５は絶縁モールド材２６に封入される。アンテナ取付金具２５に導電筒群５０の最先端導電筒５１1が電気的かつ機械的に連結される。
【００１６】
また、絶縁筒群１０の最大径の最後端絶縁筒１１nは、作業員が手に持って検電作業をする握り棒となるもので、その先端部外周に図４に示すように継手カバー１２と検出部３０が固定され、後端部の内外に導電筒連結用固定キャップ１３と絶縁筒保護用石突ゴム１４が固定される。また、各絶縁筒１１1〜１１nの内面の所定の複数箇所に、導電筒群５０の伸縮動作をスムーズにするための筒ガイド６０が必要個数だけ固定されている。
【００１７】
導電筒群５０はラジオのロッドアンテナと同様な構造のものでよく、これを構成する径の異なる複数本（通常において４〜５本）の導電筒５１1〜５１nは段階的に径が相違して、その最大径の導電筒５１1が最先端絶縁筒１１1内に設けられたアンテナ取付金具２５と連結され、最小径の導電筒５１nが最後端絶縁筒１１n内に設けられた固定キャップ１３と連結されている。この導電筒群５０は、絶縁筒群１０の絶縁筒１１1〜１１nの手動による伸縮動作に追従して伸縮する。
【００１８】
なお、絶縁筒群１０の伸長操作時、導電筒群５０が追従して伸長するが、その導電筒群５０の伸長動作は、各絶縁筒１１1〜１１n内で軸方向に移動する各導電筒５１1〜５１nを複数の筒ガイド６０でガイドして半径方向の移動を規制することで安定して行われる。これは絶縁筒群１０の縮小操作時における導電筒群５０の縮小動作についても同様である。複数の筒ガイド６０は、最後端絶縁筒１１nを除く各絶縁筒１１1〜１１nの後端部内面に設けられる。
【００１９】
特に、図４に示すように導電筒群５０の最大径の導電筒５１1を絶縁筒群１０の最先端に位置させ、最小径の導電筒５１nを絶縁筒群１０の最後端に位置させている。このようにすれば、各筒ガイド６０と対応する導電筒５１1〜５１nとの隙間を十分に小さく設定できるので、各導電筒５１1〜５１nの対応する筒ガイド６０で規制される半径方向の移動量が小さく設定できて、導電筒群５０の前後両端からの外力による伸縮動作が安定してスムーズに行われる。また、絶縁筒群１０の伸縮操作時、各絶縁筒１１1〜１１nが外周方向に相対的に回転して各導電筒群５０も相対的に回転しても捻れるようなことが無く、電気的かつ機械的な接続状態を確保することができる。
【００２０】
また、絶縁筒群１０の最後端にある固定キャップ１３に固定された最後端導電筒５１nの後端から引出リード線５２が導出され、その先端と最後端絶縁筒１１nの先端部外周に固定された検出部３０が導体７０で電気的に接続される。導体７０は、丸棒状の電線類でもよいが、例えば図５に示すように帯板状の導電薄板７０が使用されている。この導電薄板７０は直流１５００Ｖ程度の検出に必要な電流容量を持つ、例えば板厚０．３ｍｍ、幅１０ｍｍのリン青銅板等の導電板で、例えば最後端絶縁筒１１nの外周に繊維強化プラスチック（ＦＲＰ）製の絶縁チューブ１１n’を嵌着してその部分の管壁を二重構造とし、その間に導電薄板７０を挟み込んだ状態で配設して絶縁保護している。導電薄板７０の先端部が継手カバー１２内で導出され、この導出先端部から延在させた引出リード線７１が検出部３０と電気的に接続されている。このような導電薄板７０を使用すれば、握り棒となる最大径の最後端絶縁筒１１nを握り易い外径寸法とすることが容易である。
【００２１】
最後端絶縁筒１１nの先端部に固定された検出部３０は、図６に示す外観（操作・表示面）を有する筐体３１からなる。この検出部３０は、図１に示すように架線電圧検出に必要な電圧検出回路３３と検電情報の表示手段３４と共に、架線電圧の定格（例えば直流１５００Ｖ）と同等か或いは１０００Ｖ程度の低い直流定電圧（試験電圧）を発生する試験電圧発生回路４０を具備している。
【００２２】
筐体３１に内蔵された電圧検出回路３３は、一端が絶縁筒群１０の限流抵抗Ｒ1に接続され、他端が接地線３２に接続された検出抵抗Ｒ2の端子電圧を検出することにより架線電圧を等価的に検出する回路である。また、筐体３１の操作・表示面に設けられた表示手段３４は、電圧検出回路３３で検出された架線電圧の電圧値を数値表示する液晶パネル等の電圧値表示部３４ａと、架線が充電状態であることを報知するための充電中ランプ３４ｂおよびブザー３４ｃと、電圧検出回路３３で検出された電圧値を数値表示させる手動の電圧表示スイッチ３５と、試験電圧発生回路４０で発生した試験電圧でもって検電器の動作テストを実行開始する手動のテストスイッチ４１と、接地線３２が断線していないことを報知するための表示手段である接地線ランプ３４ｄとを有する。
【００２３】
また、電圧検出回路３３、試験電圧発生回路４０、充電中ランプ３４ｂ、ブザー３４ｃおよび接地線ランプ３４ｄの駆動電圧を印加するための制御電源９０（電池）を具備し、筐体３１の操作・表示面には前記制御電源９０の電池蓋９１が配設され、導体からなる電池蓋９１は前記試験電圧発生回路４０と電気的に接続されている。
【００２４】
この制御電源９０には、接地線ランプ３４ｄを介して接地線３２の断線を検出するための検出線３９が接続されており、この検出線３９と接地線３２の筐体３１外に導出された先端部には、例えば図７および図８に示すようにマグネット３７を有する接地端子３６が設けられている。接地端子３６は、先端開口円形枠形の第一の端子金具８１と、その第一の端子金具８１内に収納されたドーナッツ形状のマグネット３７と、前記第一の端子金具８１の中央に穿設された貫通孔に挿通した丸棒状の第二の端子金具８２とからなり、第一の端子金具８１と第二の端子金具８２とは、絶縁材８３により電気的に絶縁された状態で機械的に固定されている。
【００２５】
前記検出線３９と接地線３２の筐体３１外に導出された部分８０は絶縁被覆された二芯構造を有し、その絶縁被覆部分８０から導出された接地線３２の先端は、前記接地端子３６の第一の端子金具８１と電気的に接続され、絶縁被覆部分８０から導出された検出線３９の先端は、接地端子３６の第二の端子金具８２と電気的に接続されている。
【００２６】
以上の構成を具備した直流用検電器により架線電圧の有無を検電する作業は以下の要領でもって行われる。まず、検出部３０（筐体３１）から導出された接地線３２をアース接続するため、接地端子３６をアース導体である、例えば電鉄沿線のレール３８上に置くと、マグネット３７の磁気吸着力により接地端子３６がレール３８にワンタッチで確実に固着される。
【００２７】
このとき、前記接地線３２が断線しているか否かを判定することが可能である。つまり、前述のようにして接地端子３６をレール３８に固着してアース接続すると、接地端子３６の第一の端子金具８１と第二の端子金具８２とがともにレール３８に接触するため、そのレール３８を介して接地線３２と検出線３９とが電気的に短絡した状態となる（図９に示すように接地端子３６をスイッチに例えると、第一の端子金具８１と第二の端子金具８２からなる二つの接点が閉じた状態となる）。
【００２８】
その結果、図１に示すように検出部３０の制御電源９０から接地線ランプ３４ｄ−検出線３９−接地端子３６の第二の端子金具８２−レール３８−第一の端子金具８１−接地線３２を経由して前記制御電源９０に戻る閉ループ回路が形成されることになる。これにより、前記接地線３２が断線していなければ、接地線ランプ３４ｄが点灯することにより、作業員は接地線３２が良好であることを認知できる。一方、接地線３２が断線していれば、前記閉ループ回路が形成されないことから、接地線ランプ３４ｄが点灯しないので、作業員は接地線３２が不良であることを認知できる。
【００２９】
このようにして接地線３２が断線しておらず正常であることを確認した上で、図２の状態にある絶縁筒群１０を図３（Ａ）に示すように各絶縁筒１１1〜１１nを順に引き出して架線１に達する程度の長さに伸長させて固定化する。この絶縁筒群１０の固定は、各絶縁筒１１1〜１１nの端部に螺装されたジョイント部材１５を手動で回転させて締め付けることで行うことができる。各絶縁筒１１1〜１１nの伸長操作に追従して、図３（Ｂ）に示すように導電筒群５０が絶縁筒１１1〜１１nの引き延ばし力でもって伸長される。
【００３０】
以上では、接地端子３６によるアース接続後に絶縁筒群１０を伸長させる操作を実行する場合について説明したが、これとは逆に、絶縁筒群１０を伸長させた後に接地端子３６をアース接続する操作を実行するようにしてもよい。
【００３１】
前述のようにして絶縁筒群１０を伸長させた状態で、その最後端絶縁筒１１nを把持して最先端絶縁筒１１1の検電金具２０を高所の架線１に引掛ける。検電金具２０を架線１に引掛け係止すると、図１に示すように検出部３０で検出抵抗Ｒ2の両端電圧を測定することにより架線電圧が検出され、表示手段３４が架線電圧の有無表示を行う。つまり、架線１が充電状態にあれば、充電中ランプ３４ｂが点灯し、作業員が電圧表示スイッチ３５を手動操作でオンすることにより電圧表示部３４ａで架線電圧の電圧値が表示される。なお、検出部３０は最後端絶縁筒１１nに設けられて作業員の手元にあるので、作業員は検出部３０の電圧値等の表示を容易に確認できる。
【００３２】
この検電作業中、接地線３２のアース接続状態を継続しているため、作業員は検出部３０の充電中ランプ３４ｂと接地線ランプ３４ｄの両方を目視確認すればよい。つまり、充電中ランプ３４ｂが点灯しておれば、架線１が充電状態にあって接地線３２が断線していないことは明らかであり、この時、接地線ランプ３４ｄも必ず点灯する。一方、充電中ランプ３４ｂが消灯している場合、接地線３２が正常で架線１が充電状態にない場合、あるいは、接地線３２が断線している場合のいずれであり、特に、後者の場合で、架線１が充電状態にあって接地線３２が断線している場合が問題となるが、その場合でも、作業員は、接地線ランプ３４ｄを目視確認すればよい。
【００３３】
すなわち、検出部３０の充電中ランプ３４ｂの消灯が、架線１が充電状態にあるにもかかわらず、接地線３２の断線によるものであれば、接地線ランプ３４ｄも消灯していることから、作業員は接地線３２が不良であることを認知でき、充電状態にある架線１に作業員が触れるようなことは皆無となる。逆に、接地線３２が断線していなければ、接地線ランプ３４ｄが点灯することになることから、接地線３２が断線しておらず、架線１が充電状態にないことが判明する。
【００３４】
なお、以上で説明した検電作業に先立って、検電器が正常に動作するか否かをテストすることがある。この動作テストの要領を以下に詳述する。動作テスト時には、検電器に付属する試験リード線を使用する。この試験リード線４２は、例えば図１０に示すように両端にバナナプラグ４３とワニ口クリップ４４を有する一本のフレキシブルな絶縁電線である。
【００３５】
検電器の動作テストを実行するに際しては、まず、図１１に示すように試験リード線４２のワニ口クリップ４４を検電金具２０に挟み、バナナプラグ４３を検出部３０の筐体３１に設置された出力端子４５に差し込んで検電金具２０と試験電圧発生回路４０とを電気的に接続する。これと共に、筐体３１から導出された接地線３２および検出線３９の先端の接地端子３６を筐体３１の操作・表示面にある電池蓋９１に磁気吸着により固着する。この電池蓋９１には前述したように試験電圧発生回路４０が電気的に接続されているので、試験電圧発生回路４０の出力端子４５から試験リード線４２−検電金具２０−検出抵抗Ｒ2−接地線３２を経由して接地端子３６（電池蓋９１）を介して前記試験電圧発生回路４０に戻る閉ループ回路が形成されることになる。
【００３６】
ここで、前述した検電作業時と同様に、接地線３２の断線の有無を判定することが可能である。つまり、接地端子３６を金属製の電池蓋９１に固着することで、検電作業時のレール３８にアース接続する場合と同様、接地線３２と検出線３９とを電気的に短絡させた状態にすることが可能となる。従って、接地線３２が断線していなければ、制御電源９０による印加電圧でもって接地線ランプ３４ｄが点灯することにより、作業員は、接地線３２が良好であることを認知できる。
【００３７】
一方、作業員がテストスイッチ４１を手動でオンすると、制御電源９０による印加電圧でもって試験電圧発生回路４０が動作し、その印加電圧を昇圧させた所定の試験電圧、例えば１０００Ｖの直流電圧が出力され、その試験電圧が検電金具２０に印加される。検電器が正常な場合には、検電作業時と同様、検電金具２０に印加された試験電圧が、検出抵抗Ｒ2の両端電圧を測定することにより電圧検出回路３３で検出され、表示手段３４が試験電圧の有無表示を行う。つまり、検電器が正常であれば、充電中ランプ３４ｂが点灯し、作業員が電圧表示スイッチ３５の手動操作でオンすることにより電圧表示部３４ａで試験電圧（例えば１０００Ｖ）の電圧値が正常に表示され、作業員は検電器が正常に動作することを確認できる。このように試験電圧発生回路４０を検出部３０に内蔵させているので、別体の試験装置などが不要であり、検電器に動作確認が容易かつ迅速に実行できる。
【００３８】
なお、以上の実施形態は延竿式の絶縁筒群１０に検出部３０を固設したものであるが、本発明は継竿式の絶縁筒群に検出部を固設した直流用検電器であっても有効に適用できる。
【００３９】
【発明の効果】
本発明によれば、一端が検出部の制御電源に接続され、かつ、他端が接地線のアース導体への接続によりその接地線と電気的な短絡状態になる検出線を備え、その検出線により前記接地線の断線を検出可能とし、前記接地線が接続された第一の端子金具と前記検出線が接続された第二の端子金具とを絶縁材を介して配設した接地端子により、前記第一の端子金具と前記第二の端子金具とをアース導体に電気的に接続可能としたことにより、検電作業時などで使用される接地線の断線の有無を判定することができる。このことから、検電対象物が充電中であるにもかかわらず、その検電対象物が充電状態でないと誤判断した作業員が充電中の検電対象物に触れるようなことがなくなるので、作業員にとっては安全性に富んだ直流用検電器を提供できる。
【図面の簡単な説明】
【図１】本発明の実施形態における検電器の回路図であり、検電作業時での使用状態を示す。
【図２】（Ａ）は図１の検電器を縮小させた状態での正面図、（Ｂ）はその側面図である。
【図３】（Ａ）は図１の検電器を伸長させた状態での側面図、（Ｂ）はその検電器の伸長状態での導電筒群を示す側面図である。
【図４】図３（Ａ）における検電器の部分拡大断面図である。
【図５】（Ａ）は図４の検電器における最後端絶縁筒の部分拡大断面図、（Ｂ）は（Ａ）のＴ−Ｔ線に沿う拡大断面図である。
【図６】図２（Ａ）の検出部の外観を示す拡大正面図である。
【図７】図２（Ａ）の接地線および検出線の先端に設けられた接地端子を示す断面図である。
【図８】図７の接地端子を底面から見た図である。
【図９】接地端子をスイッチに例えた場合の等価回路である。
【図１０】検電器に付属する試験リード線を示す正面図である。
【図１１】検電器の動作テスト時における試験リード線および接地線の接続状態を示す検出部の回路図である。
【符号の説明】
１  検電対象物（架線）
１０  絶縁筒群
１１1〜１１n  絶縁筒
２０  検電金具
３０  検出部
３２  接地線
３４ｄ  表示手段（接地線ランプ）
３６  接地端子
３７  マグネット
３８  アース導体（レール）
３９  検出線
８１  第一の端子金具
８２  第二の端子金具
８３  絶縁材
９０  制御電源
【図１】
0004443793.tif 000002
【図２】
0004443793.tif 000003
【図３】
0004443793.tif 000004
【図４】
0004443793.tif 000005
【図５】
0004443793.tif 000006
【図６】
0004443793.tif 000007
【図７】
0004443793.tif 000008
【図８】
0004443793.tif 000009
【図９】
0004443793.tif 000010
【図１０】
0004443793.tif 000011
【図１１】
0004443793.tif 000012